(57)【要約】  骨に対する低侵襲超音波骨刀ヘッドおよび低侵襲超音波駆動システム；低侵襲超音波骨刀ヘッドは、骨刀ロッド（１１、２１、３１、４１、５１、６１）と、先端部（１２、２２、３２、４２、５２、６２）とを備え、先端部（１２、２２、３２、４２、５２、６２）は、骨刀ロッド（１１、２１、３１、４１、５１、６１）の前端に位置し、先端部（１２、２２、３２、４２、５２、６２）は、特定の角度で横方向に屈曲しており、ここで、ローレット歯または傾斜歯が屈曲部に提供される。先端部（１２、２２、３２、４２、５２、６２）の屈曲を用いて、経椎間孔内視鏡の周囲の骨組織が除去され得る。したがって、制限された内視鏡チャネル下で、外科医は可能な限り多くの作動空間を確保でき、それによって骨の除去効率を向上させる。
2020508742.tif 000002
【特許請求の範囲】
【請求項１】
骨刀ロッド（１１、２１、３１、４１、５１、６１）と、先端部（１２、２２、３２、４２、５２、６２）とを備え、前記先端部は、前記骨刀ロッドの前端に位置しており、前記先端部が特定の角度で横方向に屈曲していることを特徴とする、低侵襲超音波骨刀ヘッド。
【請求項２】
前記屈曲部がローレット歯または傾斜歯を備えていることを特徴とする、請求項１に記載の低侵襲超音波骨刀ヘッド。
【請求項３】
前記屈曲部の底面（１２１）が方形の円弧面であり、前記屈曲部の横断面（１２２）の上下の斜面がローレット歯を備えていることを特徴とする、請求項１または２に記載の低侵襲超音波骨刀ヘッド。
【請求項４】
前記先端部（２２）がレーキ形状であり、前記屈曲部の横断面（２２２）が傾斜歯を備えていることを特徴とする、請求項１または２に記載の低侵襲超音波骨刀ヘッド。
【請求項５】
前記先端部（３２）が、スプーン形状であり、前記屈曲部の上面（３２４）が、ローレット歯を備えていることを特徴とする、請求項１または２に記載の低侵襲超音波骨刀ヘッド。
【請求項６】
前記屈曲部の横断面（３２２）および側面（３２３）が傾斜歯を備えていることを特徴とする、請求項５に記載の低侵襲超音波骨刀ヘッド。
【請求項７】
前記先端部（４２）がシート状であり、前記屈曲部の横断面（４２２）が傾斜歯を備えていることを特徴とする、請求項１または２に記載の低侵襲超音波骨刀ヘッド。
【請求項８】
前記先端部（５２）が、傾斜した方形のヤスリの形状であり、前記屈曲部の横断面（５２２）がローレット歯を備えていることを特徴とする、請求項１または２に記載の低侵襲超音波骨刀ヘッド。
【請求項９】
前記先端部（６２）が角柱状であり、前記屈曲部の横断面（６２２）がローレット歯を備えており、前記屈曲部の側面（６２１）が螺旋状の斜めスロットを備えていることを特徴とする、請求項１または２に記載の低侵襲超音波骨刀ヘッド。
【請求項１０】
前記低侵襲超音波骨刀ヘッドの前記骨刀ロッドが、前記先端部に接続された前部と超音波ハンドル部に接続された後部との２つの取り外し可能な部分を備えることを特徴とする、請求項１乃至９のいずれか一項に記載の低侵襲超音波骨刀ヘッド。
【請求項１１】
前記骨刀ロッド全体が中空構造であることを特徴とする、請求項１乃至１０のいずれか一項に記載の低侵襲超音波骨刀ヘッド。
【請求項１２】
前記骨刀ロッドの一部のみが中空構造であり、骨刀ロッドの中央にある側孔から水が排出されることを特徴とする、請求項１乃至１０のいずれか一項に記載の低侵襲超音波骨刀ヘッド。
【請求項１３】
請求項１乃至１２のいずれか一項に記載の前記低侵襲超音波骨刀ヘッドを備える、低侵襲超音波骨動力システム。
【請求項１４】
経椎間孔内視鏡をさらに備え、前記低侵襲超音波骨刀ヘッドの前記骨刀ロッドは、前記経椎間孔内視鏡のチャネルに取り付けられる、請求項１３に記載の低侵襲超音波骨動力システム。
【請求項１５】
本体、超音波ハンドル部、およびフットスイッチをさらに備え、前記低侵襲超音波骨刀ヘッドは、接続装置を介して前記超音波ハンドル部に接続され、前記超音波ハンドル部および前記フットスイッチは、前記本体とそれぞれ電気的に接続されている、請求項１３または１４のうちのいずれか一項に記載の低侵襲超音波骨動力システム。
【請求項１６】
前記本体が、骨刀ヘッド検出モジュール、ヒューマンマシンインタラクションモジュール、超音波信号発生器、高電圧ドライバ、周波数追跡および故障検出モジュール、並びに、電圧、電流、および位相のサンプラを備えることを特徴とする、請求項１５に記載の低侵襲超音波骨動力システム。
【発明の詳細な説明】
【技術分野】
【０００１】
本開示は、医療機器の技術分野に関し、具体的には、低侵襲超音波骨刀ヘッドおよび低侵襲超音波骨動力システムに関する。
【背景技術】
【０００２】
現代の医療技術の発展に伴い、経椎間孔内視鏡下での低侵襲手術が臨床整形外科手術に広く適用されてきた。経椎間孔内視鏡下の既存の動力器具は主に、研削ドリルヘッドの高速回転により骨組織を除去する高速研削ドリルである。回転作動モードにより、研削ドリルは、作動中に、引き抜きの影響が生じて軟組織を傷つけ易く、また、血液により術野が遮られ易く医療従事者の視界を不明瞭にさせる可能性があり、これは、さらなる医療事故を引き起こし得る。
【０００３】
超音波骨動力システムは、超音波エネルギを使用して作動を行う動力器具であり、正確な切断／吸引や、血管および神経を含む軟組織を損傷しないことや、恒常性のための低温状態などの突出した特性を有する。低侵襲超音波骨動力システムは、低侵襲機能と超音波機能との両方を組み合わせ、経椎間孔内視鏡の工具チャネルを用いて骨組織に対する超音波切断作動を実現し、それによって脊椎手術のアプローチを大幅に強化し、脊椎手術の安全性を向上させる。しかしながら、経椎間孔内視鏡の工具用ホールの直径は小さく、作動チャネルの直径が通常２〜６ｍｍである一方、チャネル全体の長さは長く、通常２０ｃｍ以上である。超音波骨刀ヘッドシステムが経椎間孔内視鏡に挿入されると、超音波の制限により、経椎間孔内視鏡内で骨刀ヘッドを横方向に屈曲させることはできない。したがって、動作空間は非常に制限されており、経椎間孔内視鏡の方向にしか作動が実施され得ないため、経椎間孔内視鏡の周囲の骨組織を除去できず、よって、超音波骨刀の最大効率が発揮されない。
【発明の概要】
【０００４】
本開示は、動作空間が制限され、経椎間孔内視鏡の周囲の骨組織を除去できないという先行技術における課題を解消するための、低侵襲超音波骨刀ヘッドおよび低侵襲超音波骨動力システムを提供する。
【０００５】
第１の態様では、本開示は、骨刀ロッドと先端部とを備え、先端部は、骨刀ロッドの前端に位置しており、特定の角度で先端部が横方向に屈曲していることを特徴とする低侵襲超音波骨刀ヘッドを提供する。
【０００６】
さらに、屈曲部は、ローレット歯または傾斜歯を備えている。
【０００７】
さらに、屈曲部の底面は、方形の円弧面であり、屈曲部の横断面の上下の斜面は、ローレット歯を備えている。
【０００８】
さらに、先端部は、レーキ形状（rake-shaped）であり、屈曲部の横断面は、傾斜歯を備えている。
【０００９】
さらに、先端部は、スプーン形状（shape of a beveled square file）であり、屈曲部の上面は、ローレット歯を備えている。
【００１０】
さらに、屈曲部の横断面および側面は、傾斜歯を備えている。
【００１１】
さらに、先端部は、シート状であり、屈曲部の横断面は、傾斜歯を備えている。
【００１２】
さらに、先端部は、傾斜した方形のヤスリの形状であり、屈曲部の横断面は、ローレット歯を備えている。
【００１３】
さらに、先端部は、角柱状であり、屈曲部の横断面は、ローレット歯を備えており、その側面は、螺旋状の斜めスロットを備えている。
【００１４】
さらに、低侵襲超音波骨刀ヘッドの骨刀ロッドは、先端部に接続された前部と超音波ハンドル部に接続された後部との２つの取り外し可能な部分を備える。
【００１５】
さらに、骨刀ロッド全体は、中空構造である。
【００１６】
さらに、骨刀ロッドの一部のみが中空構造であり、骨刀ロッドの中央にある側孔から水が排出される。
【００１７】
第２の態様では、本開示はさらに、低侵襲超音波骨刀ヘッドを備える低侵襲超音波骨動力システムを提供する。
【００１８】
さらに、低侵襲超音波骨動力システムは、経椎間孔内視鏡をさらに備え、低侵襲超音波骨刀ヘッドの骨刀ロッドは、経椎間孔内視鏡のチャネルに取り付けられる。
【００１９】
低侵襲超音波骨動力システムは、本体、超音波ハンドル部、およびフットスイッチをさらに備え、低侵襲超音波骨刀ヘッドは、接続装置を介して超音波ハンドル部に接続され、超音波ハンドル部およびフットスイッチは、本体とそれぞれ電気的に接続されている。
【００２０】
さらに、本体は、骨刀ヘッド検出モジュール、ヒューマンマシンインタラクションモジュール、超音波信号発生器、高電圧ドライバ、周波数追跡および故障検出モジュール、並びに、電圧、電流、および位相のサンプラを備える。
【００２１】
本開示は、高速研削ドリルを超音波骨動力システムに置き換えており、したがって、医療リスクを低減し、より正確な切断を提供し、血管および神経などの軟組織に損傷を与えず、より良好な恒常性を提供する。
【００２２】
本開示では、低侵襲超音波骨刀ヘッドの先端部は、ある角度で横方向に屈曲しており、先端部を屈曲させることで経椎間孔内視鏡の周囲の骨組織の除去を可能にし、その結果、操作者は、制限された経椎間孔内視鏡のチャネル下で可能な限り多くの動作空間を確保でき、それによって骨の除去効率を向上させる。さらに、屈曲部にローレット歯または傾斜歯を提供することは、経椎間孔内視鏡の周囲の骨組織に対してより良好な研削または切断を提供する。
【００２３】
低侵襲超音波骨刀ヘッドの骨刀ロッドを２つの取り外し可能な部分として構成することによって、本開示はまた、屈曲した骨刀ヘッドが経椎間孔内視鏡のチャネルを通過できないため骨刀ロッドが内視鏡チャネルに取り付けられないという課題も解消し、それによって骨刀ヘッドの組み立てをさらに容易にする。
【図面の簡単な説明】
【００２４】
【図１】図１は、本開示の実施形態１の低侵襲超音波骨刀ヘッドの構造概略図である。
【図２】図２は、本開示の実施形態１の低侵襲超音波骨刀ヘッドの骨刀ロッドの構造概略図である。
【図３】図３は、本開示の実施形態１の低侵襲超音波骨動力システムにおいて、経椎間孔内視鏡と共に使用するための低侵襲超音波骨刀ヘッドの構造概略図である。
【図４】図４は、本開示の実施形態１の低侵襲超音波骨動力システムにおいて、経椎間孔内視鏡と共に使用するための低侵襲超音波骨刀ヘッドの構造概略図である。
【図５】図５は、本開示の実施形態１の低侵襲超音波骨動力システムの本体の構成の構造概略図である。
【図６】図６は、本開示の実施形態２の低侵襲超音波骨刀ヘッドの構造概略図である。
【図７】図７は、本開示の実施形態３の低侵襲超音波骨刀ヘッドの構造概略図である。
【図８】図８は、本開示の実施形態４の低侵襲超音波骨刀ヘッドの構造概略図である。
【図９】図９は、本開示の実施形態５の低侵襲超音波骨刀ヘッドの構造概略図である。
【図１０】図１０は、本開示の実施形態６の低侵襲超音波骨刀ヘッドの構造概略図である。
【発明の詳細な説明】
【００２５】
下記の実施形態では、開示される実施形態がどのように実施されるかを、図面と共に本文による詳細な説明で説明する。他の実施形態も実現可能であり、それら実施形態が、本開示に開示された範囲から逸脱することなく構造的または論理的に修正され得ることを理解されたい。
【００２６】
本開示は、特定の実施形態並びに図面を参照して、以下でさらに詳細に説明される。
【００２７】
[実施形態１］
図１に示すように、本実施形態は、骨刀ロッド１１と先端部１２とを備える低侵襲超音波骨刀ヘッド１を開示しており、先端部１２は、骨刀ロッド１１の前端に位置し、特定の角度で横方向に屈曲している。屈曲部の底面１２１は、方形の円弧面であり、屈曲部の横断面１２２の上下の斜面は、ローレット歯を備えている。
【００２８】
組立手順において、屈曲した先端部は経椎間孔内視鏡のチャネルを通過できないので、図２に示すように低侵襲超音波骨刀ヘッド１が経椎間孔内視鏡と共に作動することを可能にするために、低侵襲超音波骨刀ヘッドの骨刀ロッド１１は、先端部１２に接続された前部と超音波ハンドル部に接続された後部との２つの部分として構成される。この２つの部分は、骨刀ヘッドの前部が後部にしっかりと接続して完全な骨刀ロッド１１を形成することができるねじを用いて接続されている。取り付けの際、ハンドル部に接続された後部が内視鏡の後方から挿入され、屈曲した先端部に接続された骨刀ロッドの前部が内視鏡の前方から挿入され、これら２つの部分は、ねじを用いてしっかりと接続される。２つの部分が接続される接続位置は、骨刀ロッド１１の中央部、骨刀ロッド１１の後端、または先端部１２に近接する骨刀ロッドの側部であり得る。
【００２９】
骨刀ロッド１１は、先端部で直接灌流するために水を排出するようロッド全体を通して中空構造であるか、または骨刀ロッド１１の中央にある側孔から水が排出されるように骨刀ロッドの一部のみが中空構造であり得る。
【００３０】
低侵襲超音波骨刀ヘッド１は、低侵襲超音波骨動力システムにおいて、経椎間孔内視鏡と共に使用できる。図３〜図４に示すように、使用時、低侵襲超音波骨刀１の骨刀ロッドは、経椎間孔内視鏡１０の作動チャネルに取り付けられ、接続装置を介して超音波ハンドル部に接続される。超音波ハンドル部は、本体と電気的に接続され、さらにフットスイッチが提供され、本体とも電気的に接続されている。本体、接続デバイス、超音波ハンドル部、フットスイッチ、低侵襲超音波骨刀ヘッド、および他の構成要素が、超音波骨動力システムを構成している。上記の構成要素において、フットスイッチは、開始または停止のために本体を制御し、且つ超音波の出力および停止をさらに制御するために使用され；本体は、超音波ハンドル部の接続を検出し、超音波システムが最適な共振周波数で作動できるように超音波駆動信号を制御および調整し、また、超音波駆動信号の電流、電圧、および位相パラメータの識別や、駆動信号が過電流、開回路、または短絡であるかどうかの検出などのようなハンドル部の振動状態を識別および検出するために使用され；超音波ハンドル部は、超音波骨刀ヘッドを駆動して作動させるように、高電圧電気信号を超音波振動に変換するために使用され；低侵襲超音波骨刀ヘッド１は、骨組織切除を実現するために超音波振動を伝達および増幅するために使用される。一方、低侵襲超音波骨刀ヘッド１の先端部１２が横方向に屈曲しているため、経椎間孔内視鏡の周囲の骨組織を除去することができ、その結果、操作者は、制限された内視鏡のチャネル下でも可能な限り多くの動作空間を確保でき、それによって骨の除去効率を向上させる。加えて、屈曲部の横断面１２２の上下の斜面は、ローレット歯を備えており、これは、内視鏡の周囲の骨組織を研削するためにより有利であり、それによって効率をさらに向上させる。
【００３１】
図５に示すように、低侵襲超音波骨動力システムの本体は、骨刀ヘッド検出モジュール、ヒューマンマシンインタラクションモジュール、超音波信号発生器、高電圧ドライバ、周波数追跡および故障検出モジュール、並びに、電圧、電流、および位相サンプラを備える。骨刀ヘッド検出モジュールは、本体が超音波ハンドル部なしで高電圧駆動信号を出力するのを防ぐために、超音波ハンドル部が本体に接続されているかどうかを識別するために使用される。ヒューマンマシンインタラクションモジュールは、回路を介して、フットスイッチの作動、骨刀ヘッドの検出、ユーザ電源および作動モードの制御入力、回路の異常状態の表示などを識別し、設定どおりの超音波周波数信号の生成を開始または停止するために、制御信号を超音波信号発生器に送信して、周波数追跡および故障検出モジュール、並びに他の構成要素の作動を制御する。超音波信号発生器によって生成された超音波信号は、高電圧ドライバに出力され、これが、超音波ハンドル部を駆動する。電圧、電力、および位相サンプラは、超音波ハンドル部の駆動回路における電圧および電流、並びにその位相関係をサンプリングする。周波数追跡および故障検出モジュールは、超音波ハンドル部を最適な動作状態で作動させるように、取得した電圧、電流、および位相にしたがって超音波信号発生器の周波数および位相を調整し、且つ超音波ハンドル部の短絡および開回路を含む異常な動作状態を識別するためも使用され、ユーザークエリに関する結果をヒューマンマシンインタラクションモジュールにフィードバックすることができる。
【００３２】
[実施形態２］
図６は、本開示の実施形態２の低侵襲超音波骨刀ヘッド２を示す。骨刀ヘッド２は、骨刀ロッド２１と先端部２２とを備え、先端部２２は、骨刀ロッド２１の前端に位置し、特定の角度で横方向に屈曲している。先端部２２は、レーキ形状であり、屈曲部の横断面２２２は、傾斜歯を備えている。
【００３３】
実施形態１と同様に、組み立てを容易にするために、骨刀ロッド２１はまた、先端部２２に接続された前部とハンドル部に接続された後部との２つの部分としても構成されており、それら２つの部分は、ねじを用いて接続されている。骨刀ロッド２１は、先端部で直接灌流するために水を排出するようロッド全体を通して中空構造であるか、またはロッドの中央にある側孔から水が排出されるように骨刀ロッドの一部のみが中空構造であり得る。
【００３４】
低侵襲超音波骨刀ヘッド２はまた、低侵襲超音波骨動力システムにおいて、経椎間孔内視鏡と共に使用され得る。使用時、低侵襲超音波骨刀２の骨刀ロッドは、経椎間孔内視鏡の作動チャネルに取り付けられ、接続装置を介して超音波ハンドル部に接続される。超音波ハンドル部は、本体と電気的に接続され、さらにフットスイッチが提供され、本体とも電気的に接続されている。低侵襲超音波骨刀ヘッド２の先端部２２が横方向に屈曲した弧状の部分を有しているため、経椎間孔内視鏡の周囲の骨組織を除去することができ、その結果、操作者は、制限された内視鏡のチャネル下でも可能な限り多くの動作空間を確保でき、それによって骨の除去効率を向上させる。加えて、屈曲部の横断面２２２は、経椎間孔内視鏡の周囲の骨組織を切断するのに役立つ傾斜歯を備えており、それによって効率をさらに向上させる。
【００３５】
[実施形態３］
図７は、本開示の実施形態３の低侵襲超音波骨刀ヘッド３である。骨刀ヘッド３は、骨刀ロッド３１と先端部３２とを備え、先端部３２は、骨刀ロッド３１の前端に位置し、特定の角度で横方向に屈曲している。先端部３２は、スプーン形状であり、屈曲部の上面３２４は、ローレット歯を備えている。さらに、屈曲部の横断面３２２および側面３２３は、傾斜歯を備え得る。
【００３６】
実施形態１と同様に、組み立てを容易にするために、骨刀ロッド３１はまた、先端部３２に接続された前部とハンドル部に接続された後部との２つの部分としても構成され、それら２つの部分は、ねじを用いて接続されている。骨刀ロッド３１は、先端部で直接灌流するために水を排出するようロッド全体を通して中空構造であるか、またはロッドの中央にある側孔から水が排出されるように骨刀ロッドの一部のみが中空構造であり得る。
【００３７】
低侵襲超音波骨刀ヘッド３は、超音波骨組織外科システムにおいて、経椎間孔内視鏡と共に使用できる。使用時、低侵襲超音波骨刀３の骨刀ロッド３１は、経椎間孔内視鏡の作動チャネルに取り付けられ、接続装置を介して超音波ハンドル部に接続される。超音波ハンドル部は、本体と電気的に接続され、さらにフットスイッチが提供され、本体とも電気的に接続されている。低侵襲超音波骨刀ヘッド３の先端部３２が横方向に屈曲しており且つ底面が台形であるため、経椎間孔内視鏡の周囲の骨組織を除去することができ、その結果、操作者は、制限された内視鏡のチャネル下でも可能な限り多くの動作空間を確保でき、それによって骨の除去効率を向上させる。加えて、屈曲部の上面３２４は、内視鏡の周囲の骨組織を研削するのに役立つローレット歯を備えている。さらに、屈曲部の横断面３２２および側面３２３は、内視鏡の周囲の骨組織を切断するのに役立つ傾斜歯を備えている。上記の構成は、骨の除去効率を大幅に向上させることができ、それによってより広い動作空間を提供する。
【００３８】
[実施形態４］
図８は、本開示の実施形態４の低侵襲超音波骨刀ヘッド４である。骨刀ヘッド４は、骨刀ロッド４１と先端部４２とを備え、先端部４２は、骨刀ロッド４１の前端に位置し、特定の角度で横方向に屈曲している。先端部４２は、シート状であり、屈曲部の横断面４２２および底面４２１は、傾斜歯を備えている。
【００３９】
実施形態１と同様に、組み立てを容易にするために、骨刀ロッド４１はまた、先端部４２に接続された前部とハンドル部に接続された後部との２つの部分としても構成され、それら２つの部分は、ねじを用いて接続されている。骨刀ロッド４１は、先端部で直接灌流するために水を排出するようロッド全体を通して中空構造であるか、または骨刀ロッドの中央にある側孔から水が排出されるように骨刀ロッドの一部のみが中空構造である。
【００４０】
低侵襲超音波骨刀ヘッド４は、超音波骨組織外科システムにおいて、経椎間孔内視鏡と共に使用できる。使用時、低侵襲超音波骨刀４の骨刀ロッド４１は、経椎間孔内視鏡の作動チャネルに取り付けられ、接続装置を介して超音波ハンドル部に接続される。超音波ハンドル部は、本体と電気的に接続され、さらにフットスイッチが提供され、本体とも電気的に接続されている。低侵襲超音波骨刀ヘッド４の先端部４２が横方向に屈曲しているため、経椎間孔内視鏡の周囲の骨組織を除去することができ、その結果、操作者は、制限された内視鏡のチャネル下でも可能な限り多くの動作空間を確保でき、それによって骨の除去効率を向上させる。加えて、屈曲部の底面４２１および横断面４２２は、傾斜歯を備えており、これは、経椎間孔内視鏡の周囲の骨組織を切断するのに役立ち、それによって骨の除去効率をさらに向上させる。
【００４１】
[実施形態５］
図９は、本開示の実施形態５の低侵襲超音波骨刀ヘッド５である。骨刀ヘッド５は、骨刀ロッド５１と先端部５２とを備え、先端部５２は、骨刀ロッド５１の前端に位置し、特定の角度で横方向に屈曲している。先端部５２は、傾斜した方形のヤスリの形状であり、屈曲部の横断面５２２は、ローレット歯を備えている。
【００４２】
実施形態１と同様に、組み立てを容易にするために、骨刀ロッド５１はまた、先端部５２に接続された前部とハンドル部に接続された後部との２つの部分としても構成され、それら２つの部分は、ねじを用いて接続されている。骨刀ロッド５１は、先端部で直接灌流するために水を排出するようロッド全体を通して中空構造であるか、または骨刀ロッドの中央にある側孔から水が排出されるように骨刀ロッドの一部のみが中空構造である。
【００４３】
低侵襲超音波骨刀ヘッド５は、超音波骨組織外科システムにおいて、経椎間孔内視鏡と共に使用できる。使用時、低侵襲超音波骨刀５の骨刀ロッド５１は、経椎間孔内視鏡の作動チャネルに取り付けられ、接続装置を介して超音波ハンドル部に接続される。超音波ハンドル部は、本体と電気的に接続され、さらにフットスイッチが提供され、本体とも電気的に接続されている。低侵襲超音波骨刀ヘッド５の先端部５２が横方向に屈曲しているため、経椎間孔内視鏡の周囲の骨組織を除去することができ、その結果、操作者は、制限された内視鏡のチャネル下でも可能な限り多くの動作空間を確保でき、それによって骨の除去効率を向上させる。加えて、屈曲部の横断面５２２は、内視鏡の周囲の骨組織を研削するのに役立つローレット歯を備えており、それによって骨の除去効率をさらに向上させる。
【００４４】
[実施形態６］
図１０は、本開示の実施形態６の低侵襲超音波骨刀ヘッド６である。骨刀ヘッド６は、骨刀ロッド６１と先端部６２とを備え、先端部６２は、骨刀ロッド６１の前端に位置し、特定の角度で横方向に屈曲している。先端部６２は、角柱状である。屈曲部の横断面６２２は、ローレット歯を備えており、その側面６２１は、螺旋状の斜めの溝を備えている。
【００４５】
実施形態１と同様に、取り付けを容易にするために、骨刀ロッド６１はまた、先端部６２に接続された前部とハンドル部に接続された後部との２つの部分としても構成され、それら２つの部分は、ねじを用いて接続されている。骨刀ロッド６１は、先端部で直接灌流するために水を排出するようロッド全体を通して中空構造であるか、または骨刀ロッドの中央にある側孔から水が排出されるように骨刀ロッドの一部のみが中空構造である。
【００４６】
低侵襲超音波骨刀ヘッド６は、超音波骨組織外科システムにおいて、経椎間孔内視鏡と共に使用できる。使用時、低侵襲超音波骨刀６の骨刀ロッド６１は、経椎間孔内視鏡の作動チャネルに取り付けられ、接続装置を介して超音波ハンドル部に接続される。超音波ハンドル部は、本体と電気的に接続され、さらにフットスイッチが提供され、本体とも電気的に接続されている。低侵襲超音波骨刀ヘッド６の先端部６２が横方向に屈曲しているため、経椎間孔内視鏡の周囲の骨組織を除去することができ、その結果、操作者は、制限された内視鏡のチャネル下でも可能な限り多くの動作空間を確保でき、それによって骨の除去効率を向上させる。加えて、屈曲部の横断面６２２は、内視鏡の周囲の骨組織を研削するのに役立つローレット歯を備えており、それによって骨の除去効率をさらに向上させる。
【００４７】
様々な実施形態を上記に詳細に説明したが、当業者は、様々な代替のおよび／または同等の実施形態が、本開示から逸脱することなく、上述した実施形態の特定の開示と置き換えられるように使用され得ることを理解するだろう。本願は、本明細書で論じた様々な実施形態のあらゆる修正および変形を対象とすることを意図している。
【図１】
2020508742.tif 000003
【図２】
2020508742.tif 000004
【図３】
2020508742.tif 000005
【図４】
2020508742.tif 000006
【図５】
2020508742.tif 000007
【図６】
2020508742.tif 000008
【図７】
2020508742.tif 000009
【図８】
2020508742.tif 000010
【図９】
2020508742.tif 000011
【図１０】
2020508742.tif 000012
【手続補正書】
【提出日】令和1年8月28日(2019.8.28)
【手続補正１】
【補正対象書類名】特許請求の範囲
【補正対象項目名】全文
【補正方法】変更
【補正の内容】
【特許請求の範囲】
【請求項１】
骨刀ロッド（１１、２１、３１、４１、５１、６１）と、先端部（１２、２２、３２、４２、５２、６２）とを備え、前記先端部は、前記骨刀ロッドの前端に位置しており、前記先端部が屈曲部として特定の角度で横方向に屈曲していることを特徴とする、低侵襲超音波骨刀ヘッド。
【請求項２】
前記屈曲部がローレット歯または傾斜歯を備えていることを特徴とする、請求項１に記載の低侵襲超音波骨刀ヘッド。
【請求項３】
前記屈曲部の底面（１２１）が方形の円弧面であり、前記屈曲部の横断面（１２２）の上下の斜面がローレット歯を備えていることを特徴とする、請求項１または２に記載の低侵襲超音波骨刀ヘッド。
【請求項４】
前記先端部（２２）がレーキ形状であり、前記屈曲部の横断面（２２２）が傾斜歯を備えていることを特徴とする、請求項１または２に記載の低侵襲超音波骨刀ヘッド。
【請求項５】
前記先端部（３２）が、スプーン形状であり、前記屈曲部の上面（３２４）が、ローレット歯を備えていることを特徴とする、請求項１または２に記載の低侵襲超音波骨刀ヘッド。
【請求項６】
前記屈曲部の横断面（３２２）および側面（３２３）が傾斜歯を備えていることを特徴とする、請求項５に記載の低侵襲超音波骨刀ヘッド。
【請求項７】
前記先端部（４２）がシート状であり、前記屈曲部の横断面（４２２）が傾斜歯を備えていることを特徴とする、請求項１または２に記載の低侵襲超音波骨刀ヘッド。
【請求項８】
前記先端部（５２）が、傾斜した方形のヤスリの形状であり、前記屈曲部の横断面（５２２）がローレット歯を備えていることを特徴とする、請求項１または２に記載の低侵襲超音波骨刀ヘッド。
【請求項９】
前記先端部（６２）が角柱状であり、前記屈曲部の横断面（６２２）がローレット歯を備えており、前記屈曲部の側面（６２１）が螺旋状の斜めスロットを備えていることを特徴とする、請求項１または２に記載の低侵襲超音波骨刀ヘッド。
【請求項１０】
前記低侵襲超音波骨刀ヘッドの前記骨刀ロッドが、前記先端部に接続された前部と超音波ハンドル部に接続された後部との２つの取り外し可能な部分を備えることを特徴とする、請求項１乃至９のいずれか一項に記載の低侵襲超音波骨刀ヘッド。
【請求項１１】
前記骨刀ロッド全体が中空構造であることを特徴とする、請求項１乃至１０のいずれか一項に記載の低侵襲超音波骨刀ヘッド。
【請求項１２】
前記骨刀ロッドの一部のみが中空構造であり、骨刀ロッドの中央にある側孔から水が排出されることを特徴とする、請求項１乃至１０のいずれか一項に記載の低侵襲超音波骨刀ヘッド。
【請求項１３】
請求項１乃至１２のいずれか一項に記載の前記低侵襲超音波骨刀ヘッドを備える、低侵襲超音波骨動力システム。
【請求項１４】
経椎間孔内視鏡をさらに備え、前記低侵襲超音波骨刀ヘッドの前記骨刀ロッドは、前記経椎間孔内視鏡のチャネルに取り付けられる、請求項１３に記載の低侵襲超音波骨動力システム。
【請求項１５】
本体、超音波ハンドル部、およびフットスイッチをさらに備え、前記低侵襲超音波骨刀ヘッドは、接続装置を介して前記超音波ハンドル部に接続され、前記超音波ハンドル部および前記フットスイッチは、前記本体とそれぞれ電気的に接続されている、請求項１３または１４のうちのいずれか一項に記載の低侵襲超音波骨動力システム。
【請求項１６】
前記本体が、骨刀ヘッド検出モジュール、ヒューマンマシンインタラクションモジュール、超音波信号発生器、高電圧ドライバ、周波数追跡および故障検出モジュール、並びに、電圧、電流、および位相のサンプラを備えることを特徴とする、請求項１５に記載の低侵襲超音波骨動力システム。
【国際調査報告】
2020508742.tif 000013
2020508742.tif 000014
2020508742.tif 000015
2020508742.tif 000016